(57)【要約】光触媒イオン化法を用いた車両の空調システム消毒装置は、ＵＶＸ光ランプ（３）を備えるケーシング（２）に取り付けられる装置（１）に関する。このＵＶＸ光ランプ（３）は、空気又は酸素（Ａ）をヒドロキシラジカル及び過酸化水素を含む浄化プラズマ（Ｐ）に変換する合金（４）により取り囲まれている。
2015504023.tif 000002
【特許請求の範囲】
【請求項１】
光触媒イオン化法を用いた車両の空調システム消毒装置であって、
左右対称且つ対向する円形空洞を有する骨組み（２）を備え、前記円形空洞は、保護格子（７）を備えたファン（６）により引き込まれる周囲の空気（Ａ）用の吸気口（５）を有し、
前記空気又は酸素（Ａ）をヒドロキシラジカル及び過酸化水素から構成される浄化プラズマ（Ｐ）に変換するための二酸化チタンを主体とする貴金属合金（４）で満たされた蜂の巣状の箱により取り囲まれるＵＶＸ光バルブ（３）を有することを特徴とする装置。
【請求項２】
ＵＶＸ光バルブユニット（３）の作動を担う電池（１３）を有することを特徴とする請求項１に記載の装置。
【請求項３】
前記浄化プラズマ（Ｐ）が速度ボタン（１０）により制御されて様々な通気速度で添加されることを特徴とする請求項１に記載の装置。
【請求項４】
作動制御装置（１１）により作動する時、分、及び秒を含むデジタルタイマリレーによって予め定められた使用時間を有することを特徴とする請求項１に記載の装置。
【請求項５】
使用回数計数装置（１２）を有することを特徴とする請求項１に記載の装置。
【発明の詳細な説明】
【技術分野】
【０００１】
本願による本発明は、未だ公開されていない装置であって、光触媒イオン化法を用いた車両の空調システム消毒装置に関する。特に、光触媒イオン化技術を用い、ＵＶＸ光と貴金属合金との反応である浄化プラズマを生成する反応を促進し、空調だけでなく車両の室内環境を消毒する際にも効率的な消毒装置に関する。
【背景技術】
【０００２】
特許請求の範囲に記載した消毒装置は、本願の分野と同様に自動車分野に属し、特に空調、及び車両全般の室内環境に属する。
自動車の室内及び空調システムを消毒するための既存の解決方法は、種々の資源を用いた技術として、化学製品並びに人及び機械の介入の利用、化学製品用の気化システム又は噴霧システム、並びにオゾンなどの添加から構成される室内の酸素消毒を含む技術に基づく。
【０００３】
従来技術では、たとえば以下のように、言及に値するいくつかの欠点が目に付く。
（１）化学製品並びに人及び機械の介入の利用について
・この方法は、技術的に熟練した労働者を必要とし、これにより利用コストが増加する。
【０００４】
・機械の介入は、これを実施するためにより多くの時間がかかるうえに、機械の介入の制限によって、汚染される可能性があるすべての箇所には到達しない。
・規制基準に準拠していない化学製品は、ヒトがアレルギー反応を起こす可能性があることから、使用者に全身の不快感を引き起こす。
【０００５】
（２）化学製品用の気化システム又は噴霧システムについて
・このシステムの欠点は、消毒及び臭気に関する問題を解決する際にシステムの効率及び効果を損なうというシステムの制限を有することである。
【０００６】
・提供されるサービスの最終品質を損なう。
（３）室内の酸素消毒について
・この技術の欠点は、室内におけるオゾンの利用が一般に使用者の健康をむしばみ得るおそれを有することである。
【０００７】
・不適切に測定された量では、室内のオゾン濃度によって、呼吸困難、吐き気、粘膜の酸化、及び他の事態が起こり得る。
こうした状況及び現在の消毒技術に固有の欠点に直面した際に、我々は、本願の着目点に従い、化学物質を使用することなく、車両の室内環境から臭気をすべて除去することができる装置を開発することを動機付けられた。
【先行技術文献】
【特許文献】
【０００８】
【特許文献１】ブラジル国特許第９３０６３０５−９号
【発明の概要】
【発明が解決しようとする課題】
【０００９】
先行技術は、特許文献１の「空調ダクト内の消毒方法及び消毒装置（参考訳）」のように、問題点を解決するいくつかの特許文献を含む。特許文献１では、空気を消毒するための方法を請求項に記載しており、この方法は、４級アンモニア化合物の脱臭剤のエアロゾル式気化で構成され、より詳細には、微細気化器によってダクト内の空気流を通過し、水に混合される無毒性且つ不揮発性のベンジルアンモニウムクロリドで構成されている。
【００１０】
上記の解決方法は、空調ダクト内の空気を消毒するために請求しているが、エアロゾル気化に関する制限要素を有している。すなわち、エアロゾル気化は、すべての管を確実に通過するわけではないため、この方法の利用を効果的ではない状態にする。また、この方法は、毒性がないものの、ある微生物が耐えることができない消毒剤としてアンモニアを利用している。これらの結果として、アレルギー反応に不都合である。
【課題を解決するための手段】
【００１１】
先行文献、並びにその隔たり及び制限を認識して、発明者は、研究及び調査後に、本願の光触媒イオン化法を用いた車両の空調システム消毒装置を開発した。概して、この装置は、ＵＶＸ光と貴金属合金との反応であって、過酸化水素を主成分とする浄化プラズマを生成する反応を促進し、空調システム及び車両の室内を消毒する際にも効率的な光触媒イオン化技術を用いた消毒装置である。
【００１２】
要するに、請求項に係る発明は、以下の１１点を最も優勢な長所として有する。
・車両全般の室内及び空調システムを消毒する際の効率性且つ効果性を有する。
・臭気の発生源になる可能性があるもののすべての完全な除去を保証する。
【００１３】
・ヒトの健康に副作用のおそれがないため、本発明の利用がすべての点において使用者に１００％安全である。
・本発明の利用に当たって熟練した労働者を必要としない。
【００１４】
・用地を隔離する必要なく、ヒトの存在する環境内で直接的に利用され得る。
・扱い及び操作が容易な装置である。
・装置の活性成分である過酸化水素は、天然に存在する酸化剤であるため、いかなる工業的な化学製品も必要としない。
【００１５】
・本発明の構成要素は、無臭且つ中性の特性を有する。
・化学製品を用いないことによって、不十分な量の利用であっても、未規制の製品の使用により起こり得る副作用の発生を減少させる。
【００１６】
・伝播する媒体として空気のみを用いることにより、機械の介入を必要としない。
・伝達媒体として空気も用いているものの、特許請求の範囲に記載したまったく害を及ぼさない技術と比較して、健康問題を引き起こし得るオゾンを用いない。
【００１７】
以下に、例示的且つ制限されないように描かれた添付図面を役立てつつ、本発明について説明する。
【図面の簡単な説明】
【００１８】
【図１】光触媒イオン化法を用いた車両の空調システム消毒装置の主要な構成部品の模式図である。
【図２】光触媒イオン化法を用いた車両の空調システム消毒装置の作用の模式図である。
【図３】光触媒イオン化法を用いた車両の空調システム消毒装置の斜視図である。
【図４】光触媒イオン化法を用いた車両の空調システム消毒装置を転回させた斜視図である。
【発明を実施するための形態】
【００１９】
本特許出願の発明の対象である光触媒イオン化法を用いた車両の空調システム消毒装置は、ＵＶＸ光バルブ（３）を保持することができる骨組み（２）に取り付けられる装置（１）に関する。このＵＶＸ光バルブ（３）は、空気又は酸素（Ａ）をヒドロキシラジカル及び過酸化水素から構成される浄化プラズマ（Ｐ）に変換する合金（４）で満たされた蜂の巣状の箱により取り囲まれている。
【００２０】
より詳細には、消毒装置（１）は、左右対称且つ対向する円形空洞を有する骨組み（２）を備えている。この円形空洞は、保護格子（７）を備えたファン（６）により引き込まれる周囲の空気（Ａ）用の吸気口（５）、並びに空気（Ａ）の流路である通気格子（８）を通過する浄化プラズマ（Ｐ）用の排気口を有している。本来であれば、ＵＶＸ光バルブ（３）は、骨組み（２）の内部の中間に配置されていた。本装置では、ＵＶＸ光バルブ（３）は、二酸化チタンを主体とする貴金属合金（４）で満たされた蜂の巣状の箱により取り囲まれている。この状態では、接続及び接続切断のスイッチ（９）を切り換えると、ＵＶＸ光バルブ（３）が点灯され、これによって、空気又は酸素（Ａ）から、ヒドロキシラジカル及び過酸化水素から構成される浄化プラズマ（Ｐ）への変換処理が行われる。浄化プラズマ（Ｐ）は、速度ボタン（１０）により制御されるように、且つ作動制御装置（１１）により作動する時、分、及び秒を含むデジタルタイマリレーによって予め定められた使用時間を有するように、２つの異なる通気速度で添加されることができる。装置は、使用回数計数装置（１２）、並びにＵＶＸ光バルブユニット（３）の作動を担う電池（１３）により補完されている。
【００２１】
したがって、本願の発明は、ＵＶＸ光と貴金属合金との反応を介し、過酸化水素を主成分とする浄化プラズマを生成する光触媒イオン化技術のために新規性及び進歩性を示す。このことにより産業上の利用において、本願発明には特許を受ける価値がある。
【図１】
2015504023.tif 000003
【図２】
2015504023.tif 000004
【図３】
2015504023.tif 000005
【図４】
2015504023.tif 000006
【国際調査報告】
2015504023.tif 000007
2015504023.tif 000008
2015504023.tif 000009
2015504023.tif 000010
2015504023.tif 000011
2015504023.tif 000012